(57)【要約】【課題】光ディスクコンテンツが指定するＵＲＬのリソースを確実にダウンロードすることができる光ディスク再生装置及び光ディスク再生方法を提供する。【解決手段】光ディスクに照射したレーザ光の反射光に基づく読取情報を出力する読取部と、読取部からの読取情報からＵＲＬを抽出する抽出部と、ネットワークを介して外部装置と通信を行なう通信部と、抽出部がＵＲＬを検出すると、通信部を用いてＵＲＬが示す外部装置にアクセスして情報をダウンロードできるかどうかを判断し、できない場合はダウンロードできないので接続設定を促す旨を表示する表示信号（図３）を生成して出力する制御部をもつ光ディスク再生装置。【選択図】      図１
2008084488.tif 000002
【特許請求の範囲】
【請求項１】
光ディスクに照射したレーザ光の反射光に基づく読取情報を出力する読取部と、
前記読取部からの読取情報からＵＲＬを抽出する抽出部と、
ネットワークを介して外部装置と通信を行なう通信部と、
前記抽出部が前記ＵＲＬを検出すると、前記通信部を用いて前記ＵＲＬが示す外部装置にアクセスして情報をダウンロードできるかどうかを判断し、できない場合はダウンロードできないので接続設定を促す旨を表示する表示信号を生成して出力する制御部と、
を具備することを特徴とする光ディスク再生装置。
【請求項２】
前記光ディスクの読取情報に前記ネットワークを介して情報をダウンロードするための情報が含まれていることを表示する表示手段を更に有することを特徴とする請求項１記載の光ディスク再生装置。
【請求項３】
前記表示信号に応じた画像を、前記光ディスクからの読取情報に応じた画面に重ねて表示するべく、前記読取情報と前記ダウンロードできないので接続設定を促す旨の表示信号との合成信号を出力するＯＳＤ部を更に有することを特徴とする請求項１記載の光ディスク再生装置。
【請求項４】
制御部は、前記ダウンロードできないので接続設定を促す旨を表示するか否かを設定により選択することを特徴とする請求項１記載の光ディスク再生装置。
【請求項５】
光ディスク再生装置の再生方法であって、
前記光ディスクに照射したレーザ光の反射光に基づく読取情報を出力し、
前記読取情報からＵＲＬを抽出を試み、
前記ＵＲＬの抽出が可能だった場合、前記光ディスク再生装置が有しており、ネットワークを介して外部装置と通信を行なう通信部が、前記ＵＲＬが示す外部装置にアクセスして情報をダウンロードできるかどうかを判断し、できない場合はダウンロードできないので接続設定を促す旨を表示する表示信号を生成して出力することを特徴とする光ディスク再生方法。
【発明の詳細な説明】
【技術分野】
【０００１】
この発明は、光ディスクが格納するＵＲＬを用いて外部装置から情報をダウンロードする光ディスク再生装置及び光ディスク再生方法に関する。
【背景技術】
【０００２】
最近、光ディスクが開発され普及してきており、光ディスク再生装置も多様な機能が考案されてきている。その一つに光ディスクの格納情報に含まれるＵＲＬ情報に応じてネットワーク上のサイト等にアクセスして情報をダウンロードする機能が知られている。
【０００３】
特許文献１は、記録媒体がドライブ部に装着されると自動的に記録媒体のプログラム記録領域に記録されているプログラムを読み出して実行することにより、ユーザが面倒な操作をすることなく記録媒体に記録されたコンテンツ情報に関連する関連情報をネットワークを介してサーバから得ることができるディスク再生装置が開示されている。
【特許文献１】特開２００１−１１８３２４公報。
【発明の開示】
【発明が解決しようとする課題】
【０００４】
しかし、特許文献１の従来技術は、ネットワークが接続され機能していることが前提になっており、接続がされていないときの処理については何も記載されておらず、ネットワーク非接続状態の場合、光ディスクコンテンツが指定するリソースがあるにもかかわらず、ユーザが情報の入手を逃してしまうという問題がある。
【０００５】
本発明は、光ディスクコンテンツが指定するＵＲＬのリソースを確実にダウンロードすることができる光ディスク再生装置及び光ディスク再生方法を提供することを目的とする。
【課題を解決するための手段】
【０００６】
本発明に係る課題を解決するための手段は、
光ディスクに照射したレーザ光の反射光に基づく読取情報を出力する読取部（１９）と、
前記読取部からの読取情報からＵＲＬを抽出する抽出部（３４）と、
ネットワークを介して外部装置と通信を行なう通信部（１１）と、
前記抽出部が前記ＵＲＬを検出すると、前記通信部を用いて前記ＵＲＬが示す外部装置にアクセスして情報をダウンロードできるかどうかを判断し、できない場合はダウンロードできないので接続設定を促す旨を表示する表示信号（図３）を生成して出力する制御部（３０，３５）と、を具備することを特徴とする光ディスク再生装置。
【発明の効果】
【０００７】
光ディスクコンテンツが指定するＵＲＬのリソースがあれば、通信部が通信可能かどうかを判断し不可ならその旨を表示することで、ＵＲＬのリソースを確実にダウンロードすることができる。
【発明を実施するための最良の形態】
【０００８】
以下、この発明の実施の形態について図面を参照して詳細に説明する。
【０００９】
＜本発明の一実施形態に係る光ディスク再生装置＞
（構成）
ここでは、本発明の一実施形態に係る光ディスク再生装置を、一例としてハードディスクレコーダ機能をもった光ディスク記録再生装置を用いて説明するが、光ディスク再生装置は様々な形態が含まれるものであり、それらは全て本発明の実施形態の範囲に含まれるものである。
【００１０】
図１は、本発明の一実施形態に係る光ディスク再生装置の構成の一例を示すブロック図である。図１の光ディスク再生装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１１】
又、図１の光ディスク再生装置１０は、録画側を構成するエンコーダ部２１と、再生側を構成するＭＰＥＧデコーダ部２３と、装置本体の動作を制御する制御部３０とを主たる構成要素としている。光ディスク再生装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、光ディスク再生装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。更に、光ディスク再生装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、ネットワークダウンロード部３４、ＯＳＤ（On Screen Display）部３５、予約録画部・番組表生成部４３を有している。これらの各部は、データバスを介して制御部３０に接続されている。更に、セレクタ部１７の出力は、外部の受像機４１に接続されるか、外部装置との通信を行うインタフェース部２７を介して、外部装置に供給される。
【００１２】
更に、光ディスク再生装置１０は、データバスを介して制御部３０に接続され、ユーザの操作やリモコンＲの操作を受ける操作部３２を有している。ここで、リモコンは、光ディスク再生装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１３】
（基本動作）
このような構成の光ディスク再生装置１０において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１４】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１５】
又、チューナ部１２，１３、予約録画部４２、番組表生成部４３を用いることで、電子番組表を利用して、放送信号をハードディスクドライブ部１８，光ディスクＤ等に予約録画しこれを再生することができる。
【００１６】
＜警告表示を伴うダウンロード処理＞
次に、上記した光ディスク再生装置のＵＲＬを用いた警告表示を伴うダウンロード処理をフローチャートを用いて詳細に説明する。図２は、本発明の一実施形態に係るディスク再生装置の操作画面の一例を示す説明図である。図３は、本発明の一実施形態に係るディスク再生装置のＯＳＤ（On Screen Display）で表示される警告文の一例を示す説明図である。図４は、本発明の一実施形態に係るディスク再生装置が読み出すディスク中に格納されているＵＲＬ情報の一例を示す説明図である。図５は、本発明の一実施形態に係るディスク再生装置の警告表示を伴うダウンロード処理の一例を示すフローチャートである。
【００１７】
なお、図５のフローチャートの各ステップは、回路ブロックに置き換えることができ、従って、各フローチャートのステップは、全てブロックに定義しなおすことが可能である。
【００１８】
本発明の一実施形態に係るディスク再生装置において、図５のフローチャートに従って警告表示を伴うダウンロード処理を説明すると、初めに、制御部３０及びネットワークダウンロード部３４により、光ディスクがネットワークからダウンロードするコンテンツを含んでいるかどうかを判断する（ステップＳ１１）。
【００１９】
つまり、光ディスクドライブ部１９に光ディスク、すなわち、ＨＤ_ＤＶＤ（High Definition Digital Versatile Disc）又は通常のＤＶＤ（Digital Versatile Disc）が挿入されると、図示しない光ピックアップから照射されたレーザ光の光ディスクからの反射光を光ピックアップのデテクタは読み取り、読み取り信号を出力する。ネットワークダウンロード部３４は、この読み取り信号を解析して、図４に示すようにＵＲＬ（Uniform Resource Locator）情報の有無に基づいて、ディスク内にネットワークからダウンロード再生する機能が含まれているかどうかを判断する。
【００２０】
ここで、判断する具体的な方法は、光ディスク内にあるネットワークアクセスするか否かの識別フラグをみて判別する方法、光ディスク内に含まれるアプリケーションを解析して判別する方法がある。
【００２１】
制御部３０及びネットワークダウンロード部３４が、その光ディスクがダウンロードするコンテンツを含むと判断すると（ステップＳ１２）、例えば、図２に示すような表示部３３であるＶＦＤのネットワーク５１のランプを点灯する等の表示を行なう（ステップＳ１３）。そして、制御部３０及びネットワークダウンロード部３４により、通信部１１がそのＵＲＬ情報が示すネットワーク上のサイトに接続する機能があるかどうかを判断する（ステップＳ１５）。
【００２２】
ここで、接続できる状態であれば、ステップＳ１８に飛んでＵＲＬ情報が示すネットワーク上のサイトにアクセスしてコンテンツをダウンロードし、ダウンロードしたコンテンツのデコード処理を開始する（ステップＳ１８）。
【００２３】
ステップＳ１５で制御部３０及びネットワークダウンロード部３４により、通信部１１がそのＵＲＬ情報が示すネットワーク上のサイトに接続する状態になっていないと判断すると、ステップＳ１６に進む。そして、ＯＳＤ（On Screen Display）部３５を用いて、図３に示すようなアラート（Alert）表示を行い、コンテンツが参照できない旨を通知する。又、画面の中でケーブルの確認や設定の確認を促すメッセージを表示する。なお、警告表示等は、必ずしもＯＳＤで行なわなくともよく、単に表示部３３に表示するものでもよい。
【００２４】
ここで、ユーザが画面上の『再生開始』を選べば（ステップＳ１７）、ＵＲＬに接続することなく光ディスクのコンテンツのみの再生処理を続行する（ステップＳ１８）。『設定画面』を選択すれば、ネットワーク設定画面を表示して、各種の設定項目を逐一確認しながら最適の設定に導き、通信部１１が通信可能とするものである（ステップＳ１９）。
【００２５】
なお、この図５の警告表示等の機能は、操作部３２による設定画面から任意に選択することができることが好適である。これにより、警告表示等をわずらわしいと感じるユーザに対して、光ディスクのコンテンツの再生のみのシンプルな画面を提供することができる。
【００２６】
以上のように、通信部１１の設定を最適化してネットワークに接続することで、追加のコンテンツを見ることができることをユーザに知らせることができる。また、通信部１１の通信機能が不十分なため追加のコンテンツが見られないことをユーザに知らせることにより、ユーザを混乱させることがない。
【００２７】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００２８】
【図１】本発明の一実施形態に係るディスク再生装置の構成の一例を示すブロック図。
【図２】本発明の一実施形態に係るディスク再生装置の操作画面の一例を示す説明図。
【図３】本発明の一実施形態に係るディスク再生装置のＯＳＤ（on screen display）で表示される警告文の一例を示す説明図。
【図４】本発明の一実施形態に係るディスク再生装置が読み出すディスク中に格納されているＵＲＬ情報の一例を示す説明図。
【図５】本発明の一実施形態に係るディスク再生装置の警告表示を伴うダウンロード処理の一例を示すフローチャート。
【符号の説明】
【００２９】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、３４…ネットワークダウンロード部、３５…ＯＳＤ部、Ｒ…リモコン、４３…予約録画部・番組表生成部。
【図１】
2008084488.tif 000003
【図２】
2008084488.tif 000004
【図３】
2008084488.tif 000005
【図４】
2008084488.tif 000006
【図５】
2008084488.tif 000007